【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
埋込可能デバイスを送達するための装置であって、前記装置は、
カムバレルであって、前記カムバレルは、第１の溝を前記カムバレルに沿って有する、カムバレルと、
前記埋込可能デバイスを格納するための遠位領域を有するシースと、
前記シースに結合される第１のカム従動子であって、前記第１のカム従動子は、前記カムバレルの前記第１の溝内を進行し、前記カムバレルに対して前記シースを後退させるように構成される、第１のカム従動子と
を含む、装置。
【請求項２】
前記カムバレル内に摺動可能に位置付けられるシース駆動体であって、前記シース駆動体は、前記シースおよび前記第１のカム従動子に堅く結合される、シース駆動体
をさらに含む、請求項１に記載の装置。
【請求項３】
前記第１の溝は、傾き付きスロットと、半径方向スロットとを含む、請求項１に記載の装置。
【請求項４】
送達デバイスは、前記シースを回転させるように構成される、請求項１に記載の装置。
【請求項５】
前記カムバレルの管腔の縦軸に沿って位置し、前記埋込可能デバイスに解放可能に結合されるシャフトであって、前記シースは、前記シャフトを受容し、前記シャフトを通して通過するように構成される、シャフト
をさらに含む、請求項１に記載の装置。
【請求項６】
前記カムバレルの近位端における第２の溝と、
前記シャフトに結合される第２のカム従動子であって、前記第２のカム従動子は、前記カムバレルの前記第２の溝内を進行し、前記シャフトを平行移動させるように構成される、第２のカム従動子と
をさらに含む、請求項５に記載の装置。
【請求項７】
送達デバイスは、前記シャフトに対して前記シースを後退させるように構成される、請求項５に記載の装置。
【請求項８】
前記第１の溝は、複数の鎖状の交互している傾き付きスロットおよび半径方向スロットを含む、請求項１に記載の装置。
【請求項９】
前記第１の溝は、前記カムバレルの第１の端部と第２の端部との間で前記カムバレルに沿って横断し、前記第１の端部と前記第２の端部との間の前記第１の溝の直線距離は、前記シースからの前記埋込可能デバイスの所定の変位長さに基づく、請求項８に記載の装置。
【請求項１０】
送達デバイスは、前記カムバレルを旋回させるように構成されるノブを含む、請求項１に記載の装置。
【請求項１１】
埋込可能デバイスを展開するように構成される送達デバイスであって、前記送達デバイスは、
前記埋込可能デバイスを収容するシースであって、前記シースは、患者の身体の中に挿入されるように構成され、前記シースは、前記送達デバイスの縦軸に沿って結合される、シースと、
カムバレルであって、前記カムバレルは、前記カムバレルが回転されかつ前記埋込可能デバイスが前記シースから暴露されるにつれて、前記シースが後退されるように、回転される、カムバレルと
を含む、送達デバイス。
【請求項１２】
前記カムバレルは、前記カムバレルに沿った第１の溝を有し、
前記送達デバイスは、前記シースに結合される第１のカム従動子をさらに含み、
前記カムバレルの回転は、前記第１のカム従動子を前記第１の溝に沿って進行させ、前記シースを後退させる、請求項１１に記載の送達デバイス。
【請求項１３】
シャフトと
前記シースに結合される第２のカム従動子と
をさらに含み、
前記カムバレルは、前記第２のカム従動子を前記カムバレルの遠位端に向かって移動させるように、前記第２のカム従動子と結合される第２の溝を含む、請求項１２に記載の送達デバイス。
【請求項１４】
前記第１の溝は、複数の螺旋スロットおよび半径方向スロットを含む、請求項１２に記載の送達デバイス。
【請求項１５】
前記送達デバイスは、前記シース内にシャフトを含み、前記送達デバイスの前記カムバレルの回転は、前記シャフトに対する前記シースの回転を生じさせる、請求項１１に記載の送達デバイス。
【手続補正２】
【補正対象書類名】明細書
【補正対象項目名】０００５
【補正方法】変更
【補正の内容】
【０００５】
本明細書に説明される主題の他のシステム、デバイス、方法、特徴、および利点が、以下の図および詳細な説明の吟味に応じて、当業者に明白である、または明白となるであろう。本説明内に含まれる、全てのそのような付加的システム、方法、特徴、および利点は、本明細書に説明される主題の範囲内であって、付随の請求項によって保護されることが意図される。例示的実施形態の特徴は、請求項内におけるそれらの特徴の明示的な列挙なしに添付の請求項を限定するものとしていかようにも解釈されるべきではない。
本発明は、例えば、以下を提供する。
（項目１）
埋込可能デバイスを送達するための装置であって、前記装置は、
カムバレルであって、前記カムバレルは、第１の溝を前記カムバレルの遠位端に有する、カムバレルと、
前記カムバレルの管腔内に部分的に位置付けられるシースであって、前記シースは、前記埋込可能デバイスを格納するための遠位領域を有する、シースと、
前記シースに結合される第１のカム従動子であって、前記第１のカム従動子は、前記カムバレルの第１の溝内を進行し、前記シースを回転および平行移動させるように構成され、前記シースの平行移動は、前記シースを前記カムバレルの中に後退させる、第１のカム従動子と
を含む、装置。
（項目２）
前記カムバレル内に摺動可能に位置付けられるシース駆動体であって、前記シース駆動体は、前記シースおよび前記第１のカム従動子に堅く結合され、前記シース駆動体は、前記シースを前記カムバレルの縦軸に沿って固着させるように構成される、シース駆動体
をさらに含む、項目１に記載の装置。
（項目３）
前記シース駆動体は、前記カムバレルの管腔内にフィットし、シース駆動体を前記管腔の縦軸に沿って保持するようにサイズ決めされる、項目２に記載の装置。
（項目４）
前記シース駆動体は、円筒形または球形本体を含む、項目２に記載の装置。
（項目５）
前記カムバレルの管腔の縦軸に沿って位置し、前記埋込可能デバイスに結合されるシャフトであって、前記シースは、前記シャフトを受容し、それを通して通過するように構成される、シャフトと、
前記カムバレルの近位端における第２の溝と、
前記シャフトに結合される第２のカム従動子であって、前記第２のカム従動子は、前記カムバレルの第２の溝内を進行し、前記シャフトを回転および平行移動させるように構成され、前記シャフトの回転および平行移動は、前記埋込可能デバイスの対応する回転および平行移動を生じさせる、第２のカム従動子と
をさらに含む、項目２に記載の装置。
（項目６）
前記第１および第２の溝の各々は、複数の連結された傾き付きスロットおよび半径方向スロットを含む、項目５に記載の装置。
（項目７）
前記第１および第２の溝は、前記第１のカム従動子が第１の時間に半径方向スロットを横断しているとき、前記第２のカム従動子が傾き付きスロットを横断しているように、かつ、前記第１のカム従動子が第２の時間に傾き付きスロットを横断しているとき、前記第２のカム従動子が半径方向スロットを横断しているように、前記カムバレル上に配列される、項目６に記載の装置。
（項目８）
係止機構をさらに含み、前記係止機構は、
前記カムバレルの近位端における係止溝と、
係止溝カム従動子を有するスリーブであって、前記スリーブは、前記係止溝カム従動子が前記係止溝内に配置されるように前記係止溝にわたって配置される、スリーブと、
前記スリーブにわたって配置される作動可能バレル部分であって、前記作動可能バレル部分は、ばね作動式長さセレクタを有し、係止位置で作動されると、前記ばね作動式長さセレクタは、前記カムバレルを前記係止溝上の所定の点を越えて回転することから制限し、前記カムバレルは、前記ばね作動式長さセレクタが非係止位置にあるとき、前記係止溝上の所定の点を越えて回転することを可能にされる、作動可能バレル部分と
を含む、項目１に記載の装置。
（項目９）
埋込可能デバイスを送達するための装置であって、前記装置は、
第１の溝を有するカムバレルと、
埋込可能デバイスを格納するために前記カムバレルの管腔内に位置付けられるシースと、
前記カムバレルの管腔の縦軸に沿って摺動可能に結合され位置付けられるシャフトであって、前記シースは、前記シャフトを受容するように構成される、シャフトと、
前記シャフトに結合される第１のカム従動子であって、前記第１のカム従動子は、前記カムバレルの第１の溝内を進行し、前記シャフトを回転および平行移動させるように構成され、前記シャフトの回転および平行移動は、前記埋込可能デバイスの対応する回転および平行移動を生じさせる、第１のカム従動子と
を含む、装置。
（項目１０）
前記シャフトおよび前記第１のカム従動子に堅く結合されるシャフト駆動体であって、前記第１のカムの回転および平行移動は、前記シャフト駆動体および前記シャフトの対応する回転および平行移動を生じさせる、シャフト駆動体
をさらに含む、項目９に記載の装置。
（項目１１）
前記シャフト駆動体は、前記カムバレルの管腔内にフィットし、前記駆動シャフトを前記管腔の縦軸に沿って保持するようにサイズ決めされる、項目１０に記載の装置。
（項目１２）
前記シャフト駆動体は、円筒形または球形の本体を含む、項目１０に記載の装置。
（項目１３）
係止機構をさらに含み、前記係止機構は、
前記カムバレルの近位端における係止溝と、
係止溝カム従動子を有するスリーブであって、前記スリーブは、前記係止溝カム従動子が前記係止溝内に配置されるように、前記係止溝にわたって配置される、スリーブと、
ばね作動式長さセレクタを有する作動可能バレル部分であって、前記作動可能バレルは、前記スリーブにわたって配置され、係止位置にあるとき、前記ばね作動式長さセレクタは、前記カムバレルを前記係止溝上の所定の点を越えて回転することから限定し、前記カムバレルは、前記長さセレクタが非係止位置に作動されると、前記係止溝上の所定の点を越えて回転することを可能にされる、作動可能バレル部分と
を含む、項目９に記載の装置。
（項目１４）
前記作動可能バレル部分は、
前記係止溝カム従動子の端部を受容するための誘導溝と、
前記作動可能バレル部分の縦軸に沿って埋設されるばね荷重部材であって、前記ばね荷重部材は、作動されると、前記縦軸を中心として移動し、前記作動可能バレル部分の内部縦方向長さを変化させるように構成され、前記ばね荷重部材は、前記内部縦方向長さがより短い長さに設定されると、前記スリーブの回転に干渉するように構成される、ばね荷重部材と
を含む、項目１３に記載の装置。
（項目１５）
前記第１の溝は、複数の鎖状の交互している傾き付きスロットおよび半径方向スロットを前記カムバレル上に含む、項目９に記載の装置。
（項目１６）
前記第１の溝は、前記カムバレルの近位端から第２の端部まで前記カムバレルの表面に沿って横断し、前記近位端と前記第２の端部との間の前記第１の溝の直線距離は、前記シースからの前記埋込可能デバイスの所定の変位長さに基づく、項目９に記載の装置。
（項目１７）
前記カムバレルの遠位端における第２の溝と、
前記カムバレルの管腔の縦軸に沿って、かつ前記第２の溝の下に配置される、シース駆動体であって、前記シース駆動体は、前記シースを前記カムバレルの縦軸に沿って固着させ、前記シャフトを前記シース駆動体の近位端において受容し、前記シャフトを前記シースの中に誘導するように構成される、シース駆動体と、
前記シース駆動体に堅く結合される第２のカム従動子であって、前記第２のカム従動子は、前記第２の溝内を進行するように構成される、第２のカム従動子と
をさらに含む、項目９に記載の装置。
（項目１８）
前記第２の溝は、複数の半径方向スロットおよび傾き付きスロットを前記カムバレル上に含み、前記第２の溝の各傾き付きスロットは、前記シース駆動体を前記カムバレルの近位端に向かって移動させるように構成される、項目１７に記載の装置。
（項目１９）
前記カムバレルの周囲に、前記第２の溝にわたって配置されるノブであって、前記ノブは、回転されているとき、前記カムバレルを回転させ、前記第２のカム従動子を前記第２の溝内で移動させるように構成される、ノブ
をさらに含む、項目１８に記載の装置。
（項目２０）
第２のカム従動子は、前記シース駆動体および前記シースを前記カムバレルの近位端に向かって移動させるように構成される、項目１９に記載の装置。
（項目２１）
前記カムバレルを封入するためのハンドル体であって、前記ハンドル体は、前記ノブを暴露するための第１の開口部と、前記第１のカム従動子を暴露するための第２の開口部とを含む、ハンドル体
をさらに含む、項目１９に記載の装置。
（項目２２）
前記シャフトは、前記埋込可能デバイスに係合し、それを握持するための円形スロットを前記シャフトの遠位端に含む、項目９に記載の装置。
（項目２３）
前記カムバレルの遠位端に配置されるアダプタシャフトであって、前記アダプタシャフトは、前記カムバレルから延在するシースを誘導するように構成される、アダプタシャフト
をさらに含む、項目９に記載の装置。
（項目２４）
医療デバイスを埋め込むためのシステムであって、前記システムは、
複数のリングおよびリングセパレータを含む埋込可能デバイスであり、各セパレータは、前記複数のリングの共通軸と平行であり、前記複数のリングを離間させるように構成される、埋込可能デバイスと、
インプラント送達デバイスであって、前記インプラント送達デバイスは、
溝を有するカムバレルと、
前記カムバレルの管腔内に部分的にあって、そこから延在する、伸長シースであって、前記シースは、前記埋込可能デバイスを格納するための遠位領域を有する、シースと、
前記伸長シースに結合されるカム従動子であって、前記カム従動子は、前記カムバレルの溝内を進行するように構成され、前記カム従動子の平行移動は、前記伸長シースを前記カムバレルの中に後退させる、カム従動子と
を含む、インプラント送達デバイスと
を含む、システム。
（項目２５）
医療デバイスを埋め込むためのシステムであって、
複数のリングおよびリングセパレータを含む埋込可能デバイスであって、各セパレータは、前記複数のリングの共通軸と平行であり、前記複数のリングを離間させるように構成される、埋込可能デバイスと、
インプラント送達デバイスであって、前記インプラント送達デバイスは、
溝を有するカムバレルと、
前記カムバレルの管腔内に部分的にあり、そこから延在する、伸長シースであって、前記シースは、前記埋込可能デバイスを格納するための遠位領域を有する、シースと、
前記カムバレルの縦軸に沿って位置付けられる駆動シャフトであって、前記シャフトは、前記埋込可能デバイスの近位端に結合される、シャフトと、
前記シャフトに結合されるカム従動子であって、前記カム従動子は、前記カムバレルの溝内を進行し、前記シャフトを回転および平行移動させるように構成され、前記シャフトの回転および平行移動は、前記埋込可能デバイスの展開を補助する、カム従動子と
を含む、インプラント送達デバイスと
を含む、システム。
（項目２６）
シースを含む送達デバイスを用いて埋込可能デバイスを展開するための方法であって、前記方法は、
前記埋込可能デバイスを収容するシースを患者の身体の中に挿入することであって、前記シースは、前記送達デバイスの縦軸に沿って結合される、ことと、
前記シースが、前記カムが回転され、前記埋込可能デバイスが前記シースから暴露されるにつれて後退されるように、前記送達デバイスのカムを回転させることと
を含む、方法。
（項目２７）
前記送達デバイスのカムを回転させることはさらに、
第１の溝を有するカムバレルを前記カムバレルの遠位端において回転させることであって、前記カムバレルを回転させることは、前記シースに結合される第１のカム従動子を前記第１の溝に沿って進行させ、前記シースを平行移動させ、前記シースの平行移動は、前記シースを前記カムバレルの中に後退させる、こと
を含む、項目２６に記載の方法。
（項目２８）
前記カムバレルを回転させることはさらに、第２のカム従動子と結合される前記カムバレル上に配置される第２の溝を含むことにより、前記第２のカム従動子を前記カムバレルの遠位端に向かって軸方向に移動させ、前記第２のカム従動子は、シャフトに結合され、前記第２のカム従動子の軸方向移動は、前記シャフトを遠位方向に移動させる、項目２６に記載の方法。
（項目２９）
前記第１および第２の溝の各々は、複数の螺旋スロットおよび半径方向スロットを含む、項目２８に記載の方法。
（項目３０）
前記カムバレルを回転させることは、前記第１のカム従動子を前記第１の溝の半径方向スロット内で移動させ、並行して、前記第２のカム従動子を前記第２の溝の螺旋スロット内で移動させる、項目２９に記載の方法。
（項目３１）
前記カムバレルを回転させることは、前記第１のカム従動子を前記第１の溝の螺旋スロット内で移動させ、並行して、前記第２のカム従動子を前記第２の溝の半径方向スロット内で移動させる、項目２９に記載の方法。
（項目３２）
シースを含む送達デバイスを用いて埋込可能デバイスを展開するための方法であって、前記方法は、
前記埋込可能デバイスを収容するシースを患者の尿道の中に挿入することであって、前記埋込可能デバイスは、前記送達デバイスの縦軸に沿ってシャフトに結合される、ことと、
前記カムが回転され、前記埋込可能デバイスが前記シースから前記尿道を開放状態に維持するための位置に押動されるにつれて、前記シャフトが平行移動されるように、前記送達デバイスのカムを回転させることと
を含む、方法。
（項目３３）
前記送達デバイスのカムを回転させることはさらに、
カムバレルを回転させることであって、前記カムバレルは、前記カムバレルの近位端において第１の溝を有し、前記カムバレルを回転させることは、前記シャフトに結合される第１のカム従動子を前記第１の溝に沿って進行させ、前記シャフトを軸方向において遠位方向に平行移動させ、前記シャフトの平行移動は、前記埋込可能デバイスを前記シースから押動させる、こと
を含む、項目３２に記載の方法。
（項目３４）
前記カムバレルはさらに、第２のカム従動子と結合される第２の溝を含み、前記方法はさらに、前記カムバレルを回転させ、前記第２のカム従動子を前記カムバレルの近位端に向かって軸方向に移動させることを含み、前記第２のカム従動子は、前記シースに結合され、前記第２のカム従動子の軸方向移動は、前記シースを近位方向に移動させる、項目３３に記載の方法。